(57)【特許請求の範囲】
【請求項１】
外周部に係止面が形成された胴を有しムーブメントが内蔵された時計外装組立と、
パイプ側ねじ部を有して前記胴に固定された巻真パイプと、
この巻真パイプ内に挿入された竜頭筒及びこの竜頭筒と一体の竜頭ヘッドを有し、前記パイプ側ねじ部に着脱可能に螺合される竜頭側ねじ部、及び前記係止面に接離される係合端面が前記竜頭ヘッドに形成されている前記ムーブメント操作用の竜頭と、
前記係合端面よりも前記竜頭筒に寄せて配設され前記巻真パイプを覆っているとともにこの覆った状態を前記竜頭の軸方向移動に拘わらずに維持するカバーパイプと、
を具備した携帯時計であって、
前記巻真パイプが収容された凹部が前記胴に形成されているとともに、この凹部の開放端に前記係止面が連続され、前記カバーパイプが前記竜頭と別部品であって前記凹部に収容されていて、かつ、このカバーパイプが内周にばね受けを有し、このばね受けと前記凹部の奥面との間に前記カバーパイプを前記竜頭に押付けるコイルばねが設けられていることを特徴とする携帯時計。
【請求項２】
外周部に係止面が形成された胴を有しムーブメントが内蔵された時計外装組立と、
パイプ側ねじ部を有して前記胴に固定された巻真パイプと、
この巻真パイプ内に挿入された竜頭筒及びこの竜頭筒と一体の竜頭ヘッドを有し、前記パイプ側ねじ部に着脱可能に螺合される竜頭側ねじ部、及び前記係止面に接離される係合端面が前記竜頭ヘッドに形成されている前記ムーブメント操作用の竜頭と、
前記係合端面よりも前記竜頭筒に寄せて配設され前記巻真パイプを覆っているとともにこの覆った状態を前記竜頭の軸方向移動に拘わらずに維持するカバーパイプと、
を具備した携帯時計であって、
前記胴側に開放するパイプ収容部が前記竜頭ヘッドに形成され、このパイプ収容部に前記カバーパイプが収容されているとともに、このカバーパイプがばね受けを有し、このばね受けと前記パイプ収容部の奥面との間に前記カバーパイプを前記係止面に押付けるコイルばねが設けられていることを特徴とする携帯時計。
【請求項３】
前記パイプ側ねじ部が雄ねじ部により形成されているとともに、このパイプ側ねじ部が前記係止面に対して前記胴の外側に突出するように位置されていることを特徴とする請求項１又は２に記載の携帯時計。
【発明の詳細な説明】
【技術分野】
【０００１】
本発明は、不用意に回転されないようにロックされる竜頭を備えたダイバーズウオッチ等の携帯時計に関する。
【背景技術】
【０００２】
従来、竜頭が不用意に回転されないようにねじロックできる時計が知られている（例えば、特許文献１，２参照。）。
【０００３】
特許文献１の時計では、巻真パイプを径小部と径大部とより形成し、小径部が胴の貫通孔に固定されている。巻真パイプの大径部は胴の外側に突出されていて、その外周にねじ部が形成されている。そして、竜頭は、内面にねじ部が形成された外筒体と、リューズ芯が摺動する中心穴が形成されているとともに外周に防水パッキンが取付けられた内筒体とで形成されていて、その内筒体を巻真パイプに胴外側から挿入することにより、巻真パイプとの間の防水を確保している。この竜頭は、外筒体のねじ部を巻真パイプのねじ部に螺合させる（噛合わせる）ことで、巻真パイプにロックされるようになっている。
【０００４】
特許文献２の携帯時計は、特許文献１の時計と同様であるが、巻真パイプの径大部の外周に形成されたねじ部に、竜頭に形成されたねじ部を噛合わせて、この竜頭の胴に対向する裏側の端面を胴の胴外面に接触させることによって、前記竜頭が不用意に回転されないように保持されるようになっている。
【特許文献１】実開平７−２６７９２号公報（段落0001、0009−0011、図１−図２）
【特許文献２】特開昭５７−４６１８１号公報（発明の詳細な説明の欄、第１図ー第２図）
【発明の開示】
【発明が解決しようとする課題】
【０００５】
周知のように時刻合わせや日付け合わせ等は、ねじ部の噛合いを外した後に、竜頭を胴から離れる方向に手指で引出した状態で、竜頭を介して巻真を回転操作して行われる。ねじ部の螺合により竜頭がロックされる特許文献１，２の時計では、竜頭の引出しに伴い、竜頭が胴から離れる程、巻真パイプのねじ部が露出される。
【０００６】
ところで、ダイバーズウオッチの時刻合わせ等は海辺でなされることが多々あるので、この場合、時計を操作するダイバーの手が濡れていて、その手に砂等が付着していることがある。このような状況下での時刻合わせ等が行われると、特許文献１，２の時計では、砂等どの微小な異物が、露出しているねじ部に付着する可能性が高い。
【０００７】
ねじ部に砂等の異物が付着したままで竜頭のねじ部が巻真パイプのねじ部に螺合されると、砂等の異物が噛み込まれる。そのため、螺合及びその解除のための竜頭の回転が不円滑となり操作感が低下するとともに、ねじ部が損傷することがある。
【０００８】
本発明の目的は、竜頭が不用意に回転されないように竜頭をロックするねじ部に砂等の異物が入ることを抑制できる携帯時計を提供することにある。
【課題を解決するための手段】
【０００９】
本発明の携帯時計は、外周部に係止面が形成された胴を有しムーブメントが内蔵された時計外装組立と、パイプ側ねじ部を有して前記胴に固定された巻真パイプと、この巻真パイプ内に挿入された竜頭筒及びこの竜頭筒と一体の竜頭ヘッドを有し、前記パイプ側ねじ部に着脱可能に螺合される竜頭側ねじ部、及び前記係止面に接離される係合端面が前記竜頭ヘッドに形成されている前記ムーブメント操作用の竜頭と、前記係合端面よりも前記竜頭筒に寄せて配設され前記巻真パイプを覆っているとともにこの覆った状態を前記竜頭の軸方向移動に拘わらずに維持するカバーパイプと、を具備したことを特徴としている。
【００１０】
本発明の携帯時計は、巻真パイプの外周を覆ったカバーパイプを備えていて、このカバーパイプは、胴の係止面から竜頭が離されて竜頭の回転操作が可能となった状態でも、胴の係止面と竜頭の係合端面との間に巻真パイプが露出しないように巻真パイプを覆った状態を維持する。したがって、パイプ側ねじ部と竜頭側ねじ部の噛み合いを外す操作を含む時刻合わせ等の竜頭操作の際、パイプ側及び竜頭側のねじ部に砂等の異物が入り込むことをカバーパイプによって抑制できる。
【００１１】
本発明の携帯時計の好ましい形態では、前記巻真パイプが収容された凹部が前記胴に形成されているとともに、この凹部の開放端に前記係止面が連続され、前記カバーパイプが前記竜頭と別部品であって前記凹部に収容されていて、かつ、このカバーパイプが内周にばね受けを有し、このばね受けと前記凹部の奥面との間に前記カバーパイプを前記竜頭に押付けるコイルばねが設けられていることを特徴としている。
【００１２】
この好ましい形態では、パイプ側ねじ部に対する竜頭側ねじ部の噛み合いが外される場合、及びこれに引き続いて竜頭が引出される場合に、コイルばねの力によりカバーパイプが竜頭の引出しに追従して移動される。これにより、胴の係止面から竜頭が離されて竜頭の回転操作が可能となった状態でも、胴の係止面と竜頭の係合端面との間に巻真パイプが露出しないように、カバーパイプが巻真パイプの外周を覆った状態に維持される。したがって、パイプ側ねじ部と竜頭側ねじ部の噛み合いを外す操作を含む時刻合わせ等の竜頭操作の際、パイプ側及び竜頭側のねじ部に砂等の異物が入り込むことをカバーパイプによって抑制できる。
【００１３】
又、本発明の携帯時計の好ましい他の形態では、前記胴側に開放するパイプ収容部が前記竜頭ヘッドに形成され、このパイプ収容部に前記カバーパイプが収容されているとともに、このカバーパイプがばね受けを有し、このばね受けと前記パイプ収容部の奥面との間に前記カバーパイプを前記係止面に押付けるコイルばねが設けられていることを特徴としている。
【００１４】
この好ましい他の形態では、パイプ側ねじ部に対する竜頭側ねじ部の噛み合いが外される場合、及びこれに引き続いて竜頭が引出される場合に、コイルばねの力により胴の係止面に対するカバーパイプの接触が維持される。言い換えれば、相対的には、竜頭の引出しに方向の動きに対してカバーパイプが胴の係止面に向けて移動されたのと同じとなる。これにより、胴の係止面から竜頭が離されて竜頭の回転操作が可能となった状態でも、胴の係止面と竜頭の係合端面との間に巻真パイプが露出しないように、カバーパイプが巻真パイプの外周を覆った状態に維持される。したがって、パイプ側ねじ部と竜頭側ねじ部の噛み合いを外す操作を含む時刻合わせ等の竜頭操作の際、パイプ側及び竜頭側のねじ部に砂等の異物が入り込むことをカバーパイプによって抑制できる。
【００１５】
又、本発明の携帯時計の好ましい更に他の形態では、前記巻真パイプが収容された凹部が前記胴に形成されているとともに、この凹部の開放端に前記係止面が連続され、前記カバーパイプが前記竜頭ヘッドに一体に形成されて前記凹部に挿入されていることを特徴としている。
【００１６】
この好ましい更に他の形態では、パイプ側ねじ部に対する竜頭側ねじ部の噛み合いが外される場合、及びこれに引き続いて竜頭が引出される場合に、それに伴って竜頭と一体にカバーパイプが移動される。これにより、カバーパイプは、胴の係止面から竜頭が離されて竜頭の回転操作が可能となった状態でも、胴の係止面と竜頭の係合端面との間に巻真パイプが露出しないように巻真パイプの外周を覆った状態に維持される。したがって、パイプ側ねじ部と竜頭側ねじ部の噛み合いを外す操作を含む時刻合わせ等の竜頭操作の際、パイプ側及び竜頭側のねじ部に砂等の異物が入り込むことをカバーパイプによって抑制できる。
【００１７】
又、本発明の携帯時計の好ましい形態では、前記パイプ側ねじ部が雄ねじ部により形成されているとともに、このパイプ側ねじ部が前記係止面に対して前記胴の外側に突出するように位置されていることを特徴としている。
【００１８】
この好ましい形態では、時刻合わせ等の竜頭操作において、パイプ側ねじ部と竜頭側ねじ部の螺合を外す操作をする際に、使用者の手の爪が長い場合であっても、爪先が雄ねじ部からなるパイプ側ねじ部に引っ掛かることをカバーパイプで防止できるので、巻真パイプから竜頭を外し易い。
【発明の効果】
【００１９】
本発明の携帯時計によれば、竜頭が不用意に回転されないように竜頭をロックするねじ部に砂等の異物が入ることを抑制できる、という効果がある。
【発明を実施するための最良の形態】
【００２０】
図１〜図４を参照して本発明の第１実施形態を説明する。
【００２１】
図１中符号１は、携帯時計例えば人体の手首に取付けて使用されるダイバーズウオッチを示している。このダイバーズウオッチ１は、ムーブメント２（図２〜図４参照）等が内蔵された時計外装組立３を備えている。
【００２２】
図１〜図４に示すように時計外装組立３は、環状をなす金属製の胴４の正面にカバーガラス５を液密に装着するとともに、胴４の裏面に裏蓋６を液密に装着して形成されている。カバーガラス５を通してムーブメント２の時刻表示などを透視可能であり、裏蓋６は取外し可能である。リング形状の回転ベゼル７がカバーガラス５の周りを囲んで胴４に回転可能に取付けられている。
【００２３】
図２〜図４に示すように互いに連通されて胴４を半径方向に貫通するパイプ取付け孔１１及び凹部１２が、例えば文字板の３時方向に位置して胴４に形成されている。パイプ取付け孔１１と凹部１２は、それらの中心軸線（図示しない）が直線をなして連続するように胴４の半径方向に並んで設けられている。これらパイプ取付け孔１１と凹部１２は、いずれも円形の孔からなり、凹部１２の径の方が大きい。
【００２４】
パイプ取付け孔１１は、凹部１２より胴４の内部（胴内空間）に寄って形成されていて、この胴内空間に開放されている。凹部１２はパイプ取付け孔１１よりも胴４の外側に寄って形成されていて、胴４の外周部に形成された係止面４ａに開放されている。したがって、凹部１２の胴外側の開放端に係止面４ａが連続しており、この係止面４ａは凹部１２の内周面に対して直角となっている。
【００２５】
図２〜図４に示すように金属製例えばステンレス鋼製の巻真パイプ１５が胴４に固定されている。すなわち、巻真パイプ１５は、円筒形の小径部１５ａと同じく円筒形の大径部１５ｂとからなる。大径部１５ｂの外径は、小径部１５ａの外径より大きく、かつ、凹部１２の径より小径である。巻真パイプ１５は、その小径部１５ａを胴４の外側からパイプ取付け孔１１に圧入するとともに、胴４にろう付けして固定されている。図２〜図４中符号１６は金属製のろう材を示している。ろう材１６は係止面４ａと凹部１２の内周面とが作る角で巻真パイプ１５を固定していて、それにより、巻真パイプ１５の固定部からの浸水が防止されるようになっている。
【００２６】
大径部１５ｂの長さは凹部１２の深さ寸法より長い。そのため、大径部１５ｂの小径部１５ａとは反対側の先端部は凹部１２から食み出している。言い換えれば、大径部１５ｂの前記先端部は、係止面４ａに対して胴４の外側に突出するように胴４の外側に位置されている。そして、この先端部の外周に後述する竜頭をねじロックするためのパイプ側ねじ部１７が設けられていて、このパイプ側ねじ部１７は雄ねじ部で形成されている。
【００２７】
巻真パイプ１５に金属製の竜頭２１がその軸方向（胴４の半径方向）に移動可能に支持されている。竜頭２１は、竜頭ヘッド２２とこの中央部から一体に突設された竜頭筒２３を有していて、この竜頭ヘッド２２の内側には竜頭筒２３の根元部を囲む円環状の逃げ溝２４が形成されている。
【００２８】
逃げ溝２４にパイプ側ねじ部１７が形成された大径部１５ｂの先端部が挿入される。竜頭ヘッド２２に竜頭２１をねじロックするための竜頭側ねじ部２５が設けられていて、この竜頭側ねじ部２５は雌ねじ部で形成されている。竜頭側ねじ部２５は逃げ溝２４に臨んでいる。この竜頭側ねじ部２５はパイプ側ねじ部１７に着脱可能に螺合されている。
【００２９】
竜頭ヘッド２２の裏面（胴側の端面）は、巻真パイプ１５への竜頭２１の着脱に伴い係止面４ａに接離される係合端面２２ａを有している。竜頭２１を裏側から見て係合端面２２ａはリング形である。更に、竜頭ヘッド２２は、深さが浅い凹所２２ｂを有している。凹所２２ｂは、竜頭側ねじ部２５と係合端面２２ａとの間に位置されているとともに、竜頭２１を裏側から見てリング形をなしているとともに、その直径は前記凹部１２の直径と同じである。この凹所２２ｂは係合端面２２ａで囲まれているとともに、この凹所２２ｂに竜頭側ねじ部２５が連続している。
【００３０】
竜頭２１の竜頭筒２３にはその外周に開放するパッキン取付け溝が形成されていて、このパッキン取付け溝に嵌合してリング形の防水パッキン２８が装着されている。防水パッキン２８はゴムやエラストマなどの弾性材料からなる。竜頭筒２３は胴外側から巻真パイプ１５にその軸方向に移動可能に挿入されている。それにより、防水パッキン２８は、巻真パイプ１５の内周面と竜頭筒２３との間に圧縮状態に弾性変形して挟まれて、これらの間の防水を担っている。
【００３１】
竜頭筒２３内には、胴内側から巻真３１が挿入されているとともに、巻真付勢ばね３２が収容されている。巻真３１はムーブメント２に接続されている。巻真付勢ばね３２は、巻真３１に先端部に取付けられたばね受けリング３３と、竜頭筒２３の内空部の奥端との間に圧縮状態に挟まれていて、巻真３１をムーブメント２に向けて軸方向に付勢している。
【００３２】
巻真３１は、図３及び図４に示すように前記パイプ側ねじ部１７と竜頭側ねじ部２５との噛み合いが外された状態、言い換えれば、竜頭２１のねじロックが解除された状態で、竜頭２１の回転操作に連動して回転され、その動きをムーブメント２に伝えるものである。それにより、図３に示したように竜頭２１が一定寸法だけ引出された状態（この状態は竜頭２１が一段引出されたと通称されている。）での竜頭２１の回転操作では例えば日付け合わせが行われ、この一段を基準に更に竜頭２１が一定寸法だけ引出された状態（この状態は竜頭２１が二段引出されたと通称されている。）での竜頭２１の回転操作では例えば時刻合わせが行われるようになっている。
【００３３】
前記凹部１２の内周面と巻真パイプ１５の大径部１５ｂの外周面との間に形成された円環形の空間に、両端が開放された円筒状のカバーパイプ４１が凹部１２の内周面に沿って移動可能に収容されていて、このカバーパイプ４１の一端部は凹所２２ｂに嵌入されている。したがって、カバーパイプ４１は係合端面２２ａよりも小径であり、この係合端面２２ａよりも竜頭筒２３側に寄せて配設されている。
【００３４】
大径部１５ｂを覆ったカバーパイプ４１は、その内周に環状の段部からなるばね受け４１ａを有している。前記円環形の空間には、カバーパイプ４１で覆われるコイルばね４５が収容されている。コイルばね４５は、その一端を支持する凹部１２の奥面１２ａと他端を支持するばね受け４１ａとの間に圧縮状態に挟まれていて、カバーパイプ４１を竜頭２１に押付けている。このコイルばね４５のばね力は竜頭付勢ばね３２のばね力より小さい。
【００３５】
カバーパイプ４１は、竜頭２１が最大に引出された場合、本実施形態では図４に示すように竜頭２１が二段引出し位置に配置された場合でも、凹部１２への挿入状態を維持できる長さを有している。具体的には、図２に示すようにねじロックされた竜頭２１の裏面と凹部１２の奥面１２ａとで挟まれる長さを有している。しかも、本実施形態では既述のように竜頭２１に凹所２２ｂを設けているので、カバーパイプ４１の長さは、凹部１２の深さよりも長く、凹部１２の深さに凹所２２ｂの深さを合わせた寸法に相当した長さに設定されている。
【００３６】
本実施形態のようにカバーパイプ４１が竜頭２１と別部品で、竜頭２１に連結されていない構成では、カバーパイプ４１を構成する材料は、竜頭２１を構成する材料に制約されないとともに、種々の金属材料や合成樹脂材料を選択できる。そのため、カバーパイプ４１の構成材料として、凹部１２の内周面等に対して摺動抵抗が小さく動き易い材料や、強度が高い金属材料等を採用可能であるとともに、弾性を有する材料等も採用できる。弾性を有する合成樹脂材料でカバーパイプ４１を形成した場合は、このカバーパイプ４１が図２に示すように竜頭２１がねじロックされた状態で軸方向に圧縮するように弾性変形してパッキンとして機能できるので、ねじロック状態での竜頭周りの防水性能をより高めることが可能である。
【００３７】
なお、図１中符号４ｂは胴４に一体に形成された一対のガード凸部を示し、これらガード凸部４ｂは時計の１２時−６時方向から竜頭２１に隣接して設けられている。これら一対のガード凸部４ｂは、竜頭２１の引出しと押込み、並び回転の各操作は許すが、時計の１２時−６時方向からの不用意な竜頭操作を妨げるようになっている。
【００３８】
竜頭２１がねじロックされた状態は図２に示されている。この状態では、竜頭２１の竜頭側ねじ部２５が巻真パイプ１５のパイプ側ねじ部１７に螺合している（噛合っている）とともに、竜頭２１の係合端面２２ａが胴４の係止面４ａに密接している。それにより、竜頭２１がねじロック状態に保持されている。
【００３９】
更に、カバーパイプ４１がコイルばね４５に抗して胴４の凹部１２内に押込まれて、このカバーパイプ４１が凹部１２の奥面１２ａと凹所２２ｂの奥面とで挟まれている。この状態では、巻真パイプ１５の大径部１５ｂより短いカバーパイプ４１は、パイプ側ねじ部１７を覆っていないが、既述のように係合端面２２ａと係止面４ａとが密接していることにより、巻真パイプ１５に向けて砂や塵等が侵入することは防止される。
【００４０】
竜頭２１を操作して例えば日付け合わせを行う場合、まず、パイプ側ねじ部１７に対する竜頭側ねじ部２５の噛み合いが解除される方向に竜頭２１を回転させて、前記噛み合いを外し、引き続いて、竜頭２１をその軸方向に沿って胴４から離れる方向に一段引出し位置まで引出し操作してから、竜頭２１を回転操作して行う。この状態は図３に示されている。
【００４１】
この日付け合わせを行う際、前記一段引出し位置への竜頭２１の引出し操作によって、図３に示されるように竜頭２１が胴４から離れて、胴４の係止面４ａと竜頭２１の係合端面２２ａとの間に隙間Ｇ１ができる。
【００４２】
しかし、既述の操作で竜頭２１が胴４から離れるにつれて、移動される竜頭２１に追従してカバーパイプ４１がコイルばね４５のばね力で移動されて、このカバーパイプ４１の凹部１２からの突出量が増える。
【００４３】
これにより、カバーパイプ４１が竜頭ヘッド２２の裏面と凹部１２とにわたって配置された状態が維持される。言い換えれば、巻真パイプ１５がカバーパイプ４１で覆われた状態、正確にはパイプ側ねじ部１７が形成された大径部１５ｂがカバーパイプ４１で覆われた状態が持続される。そのため、大径部１５ｂのパイプ側ねじ部１７が前記隙間Ｇ１に露出することがない。
【００４４】
したがって、例えば海辺のように塵埃などの異物が多い条件下で既述の時刻合わせを行った際に、砂等の異物が前記隙間Ｇ１を通ってパイプ側ねじ部１７及び竜頭側ねじ部２５に入り込むことを、カバーパイプ４１によって抑制できる。
【００４５】
図２の状態から更に竜頭２１を操作して例えば時刻合わせを行う場合、まず、竜頭２１を更に二段引出し位置まで引出し操作してから、竜頭２１を回転操作して行う。この状態は図４に示されている。
【００４６】
この時刻合わせを行う際、前記二段引出し位置への竜頭２１の引出し操作によって、図４に示されるように竜頭２１が胴４から更に離れて、胴４の係止面４ａと竜頭２１の係合端面２２ａとの間に、前記隙間Ｇ１より大きい隙間Ｇ２ができる。この場合においても、既に説明した一段引出しの場合と同様に竜頭２１が胴４から離れるにつれて、移動される竜頭２１に追従してカバーパイプ４１がコイルばね４５のばね力で移動されて、このカバーパイプ４１の凹部１２からの突出量が更に増える。
【００４７】
このように竜頭２１が最大に引出されても、カバーパイプ４１が竜頭ヘッド２２の裏面と凹部１２とにわたって配置された状態が維持され、巻真パイプ１５の大径部１５ｂがカバーパイプ４１で覆われた状態が持続される。そのため、大径部１５ｂのパイプ側ねじ部１７が前記隙間Ｇ２に露出することがない。
【００４８】
したがって、例えば海辺などのように塵埃などの異物が多い条件下で既述の時刻合わせを行った際に、砂等の異物が前記隙間Ｇ２を通ってパイプ側ねじ部１７及び竜頭側ねじ部２５に入り込むことを、カバーパイプ４１によって抑制できる。
【００４９】
以上の時刻合わせ又は日付け合わせの調整を行った後、竜頭２１は、係止面４ａに向けて押込まれた上で回転操作されるに伴い、竜頭側ねじ部２５がパイプ側ねじ部１７に螺合されて、図２に示したねじロック状態に保持される。
【００５０】
したがって、以上の調整後に竜頭２１をねじロック状態とする場合、及びこれ以降の竜頭操作において、パイプ側ねじ部１７と竜頭側ねじ部２５との間に砂等の異物が噛み込まれない。このため、巻真パイプ１５に対する竜頭２１の螺合及びその解除のための竜頭２１の回転が円滑に行われて、良好な操作感が得ることができる。
【００５１】
しかも、巻真パイプ１５の大径部１５ｂの先端部が係止面４ａに対して胴外側に突出するように設けられていて、その外周に雄ねじ部からなるパイプ側ねじ部１７が設けられているが、このパイプ側ねじ部１７は、既述のように竜頭２１が一段又は二段の引出し位置に引出された場合も、カバーパイプ４１で覆われていて、係止面４ａと係合端面２２ａとの間に露出することがない。そのため、使用者が手指の爪を立てて竜頭２１を引き動かそうとした場合に、爪先がパイプ側ねじ部１７に引っ掛かって、竜頭２１の引出し操作に支障を来たすことがなく、円滑に竜頭２１を引出すことができる。
【００５２】
又、本実施形態では、カバーパイプ４１を竜頭２１の凹所２２ｂに嵌合させたので、竜頭ヘッド２２によってカバーパイプ４１が、竜頭２１の中心軸線（図示しない）に対して多少なりとも傾くように動くことを防止できる。これにより、カバーパイプ４１と竜頭ヘッド２２の当たり面（本実施形態では凹所２２ｂの奥面）との間に前記傾きに起因する僅かな間隙が形成されることが抑制される。仮に、こうした間隙が形成されても、それが前記隙間Ｇ１又はＧ２に臨むことを、前記凹所２２ｂへのカバーパイプ４１の嵌合により防止できる。したがって、カバーパイプ４１と竜頭ヘッド２２の当たり面との間から砂等の異物がカバーパイプ４１の内側に入り込むことも抑制できる。
【００５３】
なお、より好適には、海辺の砂の大きさは、0.2ｍｍ以上であるため、カバーパイプ４１の外周と凹部１２及び凹所２２ｂの周面との間の最大の嵌め合い隙間を0.15mm以下とすることが望ましい。このように嵌め合い隙間を設定すると、カバーパイプ４１の内側への砂の侵入を確実に防止でき、パイプ側ねじ部１７と竜頭側ねじ部２５に砂が付着しないようにできる。
【００５４】
又、本実施形態では、カバーパイプ４１が竜頭２１とは別部品であり、竜頭２１を取外すことでカバーパイプ４１とコイルばね４５を容易に着脱できるので、これら両部品のメンテナンスがし易い。これとともに、万が一、カバーパイプ４１の交換が必要である場合、竜頭２１を伴うことなく、カバーパイプ４１を単独で交換できる点でも優れている。
【００５５】
図５〜図７は本発明の第２実施形態を示している。第２実施形態は以下説明する事項以外は第１実施形態と同じである。そのため、第１実施形態と同じ構成については第１実施形態と同じ符号を付して、その説明を省略する。
【００５６】
第２実施形態では、第１実施形態で説明した凹部が省略されていて、巻真パイプ１５の大径部１５ｂは胴４の係止面４ａから直接突出されている。又、第２実施形態ではカバーパイプ４１が竜頭２１に組み込まれている。
【００５７】
すなわち、竜頭ヘッド２２には、逃げ溝２４より大径で竜頭ヘッド２２の裏面に開放する円環形のパイプ収容部５１が形成されている。パイプ収容部５１の開口全体を塞がない大きさの止め輪５２が、パイプ収容部５１の開口端部に取付けられている。パイプ収容部５１には、その開口を通して出し入れされる方向に移動可能にカバーパイプ４１が収容されているとともに、コイルばね４５が収容されている。コイルばね４５は、その両端をカバーパイプ４１のばね受け４１ａとパイプ収容部５１の奥面とに支持されて、これら間に圧縮状態に挟まれていて、カバーパイプ４１を係止面４ａに押付けている。カバーパイプ４１はストッパ部４１ｂを有している。このストッパ部４１ｂが止め輪５２に引っ掛かることにより、それ以上、カバーパイプ４１が竜頭ヘッド２２の裏面から突出することが防止されるようになっている。
【００５８】
なお、第２実施形態では、ばね受け４１ａをカバーパイプ４１の内周に設けるとともに、ストッパ部４１ｂをカバーパイプ４１の外周に設けたので、コイルばね４５がカバーパイプ４１の内側に配設されるとともに、止め輪５２がカバーパイプ４１の外側に設けられているが、これらの関係は逆にすることもできる。すなわち、ばね受け４１ａをカバーパイプ４１の外周に設け、ストッパ部４１ｂをカバーパイプ４１の内周に設けて、コイルばね４５をカバーパイプ４１の外側に配設し、かつ、止め輪５２をカバーパイプ４１の内側に配置しても良い。以上説明した事項以外は図５〜図７に示されない構成を含めて第１実施形態と同じである。
【００５９】
第２実施形態において竜頭２１がねじロックされた状態は図５に示されている。この状態では、竜頭２１の竜頭側ねじ部２５が巻真パイプ１５のパイプ側ねじ部１７に螺合している（噛合っている）とともに、竜頭２１の係合端面２２ａが胴４の係止面４ａに密接している。それにより、竜頭２１がねじロック状態に保持されている。
【００６０】
更に、カバーパイプ４１はその全体がコイルばね４５に抗して竜頭２１のパイプ収容部５１内に押込まれて、このカバーパイプ４１はパイプ収容部５１の奥面と胴４の係止面４ａとで挟まれている。この状態で、巻真パイプ１５に向けて砂や塵等が侵入することは、既述のように係合端面２２ａと係止面４ａとが密接していることにより防止できる。
【００６１】
竜頭２１を操作して例えば日付け合わせを行う場合、まず、パイプ側ねじ部１７に対する竜頭側ねじ部２５の噛み合いが解除される方向に竜頭２１を回転させて、前記噛み合いを外し、引き続いて、竜頭２１をその軸方向に沿って胴４から離れる方向に一段引出し位置まで引出し操作してから、竜頭２１を回転操作して行う。この状態は図６に示されている。
【００６２】
この時刻合わせを行う際、前記一段引出し位置への竜頭２１の引出し操作によって、図６に示されるように竜頭２１が胴４から離れて、胴４の係止面４ａと竜頭２１の係合端面２２ａとの間に隙間Ｇ１ができる。しかし、既述の操作で竜頭２１が胴４から離れるにつれて、コイルばね４５のばね力でカバーパイプ４１が現在位置に留まるように保持される。言い換えれば、竜頭２１の引出し方向の動きに対して相対的にカバーパイプ４１が胴４の係止面４ａに向けて移動されたことになるので、竜頭２１の裏面からのカバーパイプ４１の突出量が増えて、カバーパイプ４１が係止面４ａに接触した状態が維持される。
【００６３】
これにより、係止面４ａから竜頭ヘッド２２が離れて、この竜頭ヘッド２２の係合端面２２ａと係止面４ａとの間に隙間Ｇ１が形成されるにも拘らず、竜頭ヘッド２２の裏面と係止面４ａとにわたって配置されているカバーパイプ４１が、巻真パイプ１５を覆った状態、正確には大径部１５ｂを覆った状態を維持するので、大径部１５ｂのパイプ側ねじ部１７が前記隙間Ｇ１に露出することがない。
【００６４】
そのため、例えば海辺のように塵埃などの異物が多い条件下で既述の日付け合わせを行った際に、砂等の異物が前記隙間Ｇ１を通ってパイプ側ねじ部１７及び竜頭側ねじ部２５に入り込むことを、カバーパイプ４１によって抑制できる。
【００６５】
図６の状態から更に竜頭２１を操作して例えば時刻合わせを行う場合、まず、竜頭２１を更に二段引出し位置まで引出し操作してから、竜頭２１を回転操作して行う。この状態は図７に示されている。
【００６６】
この時刻合わせを行う際、前記二段引出し位置への竜頭２１の引出し操作によって、図７に示されるように竜頭２１が胴４から更に離れて、胴４の係止面４ａと竜頭２１の係合端面２２ａとの間に、前記隙間Ｇ１より大きい隙間Ｇ２ができる。この場合においても、既に説明した一段引出しの場合と同様に竜頭２１が胴４から離れるにつれて、コイルばね４５のばね力で竜頭ヘッド２２の裏面からのカバーパイプ４１の突出量が更に増えるので、このカバーパイプ４１が係止面４ａに接した状態が維持される。
【００６７】
このように竜頭２１が最大に引出されても、カバーパイプ４１が、竜頭ヘッド２２の裏面と係止面４ａとにわたって配置された状態が維持され、巻真パイプ１５の大径部１５ｂがカバーパイプ４１で覆われた状態が持続される。そのため、大径部１５ｂのパイプ側ねじ部１７が前記隙間Ｇ２に露出することがない。したがって、例えば海辺などのように塵埃などの異物が多い条件下で既述の時刻合わせを行った際に、砂等の異物が前記隙間Ｇ２を通ってパイプ側ねじ部１７及び竜頭側ねじ部２５に入り込むことを、カバーパイプ４１によって抑制できる。
【００６８】
以上の時刻合わせ又は日付け合わせの調整を行った後、竜頭２１は、係止面４ａに向けて押込まれた上で回転操作されるに伴い、竜頭側ねじ部２５がパイプ側ねじ部１７に螺合されて、図５に示したねじロック状態に保持される。
【００６９】
したがって、以上の調整後に竜頭２１をねじロック状態とする場合、及びこれ以降の竜頭操作において、パイプ側ねじ部１７と竜頭側ねじ部２５との間に砂等の異物が噛み込まれない。このため、巻真パイプ１５に対する竜頭２１の螺合及びその解除のための竜頭２１の回転が円滑に行われて、良好な操作感が得ることができる。
【００７０】
しかも、既述のように竜頭２１が一段又は二段の引出し位置に引出された場合も、パイプ側ねじ部１７が、カバーパイプ４１で覆われていて、係止面４ａと係合端面２２ａとの間に露出することがない。そのため、使用者が手指の爪を立てて竜頭２１を引き動かそうとした場合に、爪先が雄ねじ部からなるパイプ側ねじ部１７に引っ掛かって、竜頭２１の引出し操作に支障を来たすことがなく、円滑に竜頭２１を引出すことができる。
【００７１】
又、第２実施形態では、カバーパイプ４１及びコイルばね４５を竜頭２１に組み込んだので、これらをユニットとして取扱うことができ、部品管理が楽になる。これとともに、胴４にカバーパイプ４１を収めるための凹部を要しないので、こうした凹部を設けるのに適さない厚みが薄い胴４を有した時計外装組立３に前記ユニットを取付けて、本発明を実施する場合に好適である。
【００７２】
図８は本発明の第３実施形態を示している。第３実施形態は以下説明する事項以外は第１実施形態と同じである。そのため、第１実施形態と同じ構成については第１実施形態と同じ符号を付して、その説明を省略する。
【００７３】
第３実施形態では、巻真パイプ１５の大径部１５ｂの先端部の外周ではなく内周に雌ねじ部からなるパイプ側ねじ部１７が形成されている。これに適合させて、雄ねじ部からなる竜頭側ねじ部２５が、竜頭２１の逃げ溝２４に臨んだ竜頭筒２３の根元部分の外周に形成されている。以上説明した事項以外は図８に示されない構成を含めて第１実施形態と同じである。
【００７４】
したがって、この第３実施形態でも、第１実施形態で既に説明した理由によって本発明の課題を解決できる。
【００７５】
図９は本発明の第４実施形態を示している。第４実施形態は以下説明する事項以外は第１実施形態と同じである。そのため、第１実施形態と同じ構成については第１実施形態と同じ符号を付して、その説明を省略する。
【００７６】
第４実施形態では、カバーパイプ４１が、竜頭２１とは別部品ではなく、竜頭ヘッド２２の裏面から一体に突設されている。竜頭２１を裏側から見てカバーパイプ４１は係合端面２２ａで囲まれている。このカバーパイプ４１は、凹部１２の内周面と巻真パイプ１５の大径部１５ｂの外周面との間に形成された円環形の空間に挿入されている。これとともに、カバーパイプ４１は、竜頭２１が最大に引出された場合、つまり、図９に示すように竜頭２１が二段引出し状態に配置された場合でも、凹部１２への挿入状態を維持できる長さを有している。又、竜頭２１がねじロックされた状態では、図９中二点鎖線で示すようにカバーパイプ４１全体が凹部１２内に挿入されるようになっている。以上説明した事項以外は図９に示されない構成を含めて第１実施形態と同じである。
【００７７】
したがって、この第４実施形態でも、第１実施形態で既に説明した理由によって本発明の課題を解決できる。しかも、カバーパイプ４１が竜頭２１と一体に移動するので、竜頭２１とは別にカバーパイプ４１を移動させるためのコイルばねを省略できるので、構成が単純である点で優れている。
【００７８】
なお、本発明はダイバーズウオッチに制約されるものではなく、高度の防水性を要しない一般的な腕時計や懐中時計等にも適用可能である。
【図面の簡単な説明】
【００７９】
【図１】本発明の第１実施形態に係るダイバーズウオッチを示す正面図。
【図２】竜頭がロックされた状態を図１中Ｆ−Ｆ線に沿って示す断面図。
【図３】竜頭が一段引出された状態を図１中Ｆ−Ｆ線に沿って示す断面図。
【図４】竜頭が二段引出された状態を図１中Ｆ−Ｆ線に沿って示す断面図。
【図５】本発明の第２実施形態に係るダイバーズウオッチの竜頭がロックされた状態を示す図２相当の断面図。
【図６】第２実施形態に係るダイバーズウオッチの竜頭が一段引出された状態を示す図３相当の断面図。
【図７】第２実施形態に係るダイバーズウオッチの竜頭が二段引出された状態を示す図４相当の断面図。
【図８】本発明の第３実施形態に係るダイバーズウオッチの竜頭が二段引出された状態を示す図４相当の断面図。
【図９】本発明の第４実施形態に係るダイバーズウオッチの竜頭が二段引出された状態を示す図４相当の断面図。
【符号の説明】
【００８０】
１…ダイバーズウオッチ（携帯時計）
２…ムーブメント
３…時計外装組立
４…胴
４ａ…係止面
１２…凹部
１２ａ…凹部の奥面
１５…巻真パイプ
１５ａ…巻真パイプの小径部
１５ｂ…巻真パイプの大径部
１７…パイプ側ねじ部
２１…竜頭
２２…竜頭ヘッド
２２ａ…係合端面
２２ｂ…凹所
２３…竜頭筒
２５…竜頭側ねじ部
４１…カバーパイプ
４５…コイルばね
【図１】
0005044374.tif 000002
【図２】
0005044374.tif 000003
【図３】
0005044374.tif 000004
【図４】
0005044374.tif 000005
【図５】
0005044374.tif 000006
【図６】
0005044374.tif 000007
【図７】
0005044374.tif 000008
【図８】
0005044374.tif 000009
【図９】
0005044374.tif 000010